(57)【要約】【課題】  管状体の開口端に対する装脱が極めて容易な保護キャップの提供。【解決手段】  雌ネジ部１０ａを有するネジ部材１０を回転可能に支持した管状体９の開口端９ａに取り付けられる合成樹脂製の保護キャップであって、上記ネジ部材１０の端部に接触する基部１と、該基部１の一面から延出してネジ部材１０の雌ネジ部１０ａ内に挿入される挿入部２と、該挿入部２の外周面に形成されて上記雌ネジ部１０ａと係合する突起部３と、基部１の他面から延出して管状体９の開口端９ａに対する装脱時に把持する把持部５とを備えることにより、保護キャップを管状体９の開口端９ａに対して装脱する場合には、その基部１の他面から延出する把持部５を積極的に利用して、保護キャップ自体を確実に把持することが可能となるので、その装脱作業が頗る容易となる。【選択図】          図３
2004270930.tif 000002
【特許請求の範囲】
【請求項１】
雌ネジ部を有するネジ部材を回転可能に支持した管状体の開口端に取り付けられる合成樹脂製の保護キャップであって、上記ネジ部材の端部に接触する基部と、該基部の一面から延出してネジ部材の雌ネジ部内に挿入される挿入部と、該挿入部の外周面に形成されて上記雌ネジ部と係合する突起部と、基部の他面から延出して管状体の開口端に対する装脱時に把持する把持部とを備えることを特徴とする保護キャップ。
【請求項２】
挿入部は、突起部と雌ネジ部とを弾性的に係合させる弾性構造を有することを特徴とする請求項１記載の保護キャップ。
【請求項３】
管状体の開口端に弾性的に嵌着する環状のカバー部を備えることを特徴とする請求項１乃至請求項２のいずれかに記載の保護キャップ。
【請求項４】
把持部の両側に引掛壁を形成して、該各引掛壁は挿入部の中心軸線と平行な方向からその全てが臨めることを特徴とする請求項１乃至請求項３のいずれかに記載の保護キャップ。
【請求項５】
基部に挿入部の中心軸線と平行な方向から引掛壁の全てが臨める切欠部を形成したことを特徴とする請求項４記載の保護キャップ。
【請求項６】
基部は、外周縁にその一面方向に延びる姿勢保持壁を備えることを特徴とする請求項１乃至請求項５のいずれかに記載の保護キャップ。
【発明の詳細な説明】
【技術分野】
【０００１】
本発明は、例えば、内部に流路が形成された流体移送管や管継手等の開口端を保護したり、該開口端の流路内面に塵などの異物が付着することを防止する合成樹脂製の保護キャップに関するものである。
【背景技術】
【０００２】
従来のこの種保護キャップは、具体的には図示しないが、上記した流体移送管や管継手等を出荷するような場合に、それらの開口端を保護したり、開口端の流路内面に塵などの異物が侵入することを防止するために、開口端側に取り付けられるもので、一般には、合成樹脂製のもの（例えば、特許文献１参照）や金属製のもの（例えば、特許文献２参照）が使用されている。
【特許文献１】特開平１０−２３１９８６号公報
【特許文献２】特開２００１−３２９８９号公報
【発明の開示】
【発明が解決しようとする課題】
【０００３】
然し乍ら、従来の保護キャップにあっては、いずれも、その装脱時において、保護キャップ自体を把持するための形態が積極的に施されていないので、流体移送管等の開口端に対する装脱が極めて困難となる恐れがあった。その上、装脱の作業は、通常、軍手などをはめて行うこととなるので、その困難さは大きな問題となっている。
【課題を解決するための手段】
【０００４】
本発明は、斯かる従来の保護キャップが抱える課題を有効に解決するために開発されたもので、請求項１記載の発明は、雌ネジ部を有するネジ部材を回転可能に支持した管状体の開口端に取り付けられる合成樹脂製の保護キャップであって、上記ネジ部材の端部に接触する基部と、該基部の一面から延出してネジ部材の雌ネジ部内に挿入される挿入部と、該挿入部の外周面に形成されて上記雌ネジ部と係合する突起部と、基部の他面から延出して管状体の開口端に対する装脱時に把持する把持部とを備えることを特徴とする。
【０００５】
請求項２記載の発明は、請求項１を前提として、挿入部は、突起部と雌ネジ部とを弾性的に係合させる弾性構造を有することを特徴とする。
【０００６】
請求項３記載の発明は、請求項１乃至請求項２を前提として、管状体の開口端に弾性的に嵌着する環状のカバー部を備えることを特徴とする。
【０００７】
請求項４記載の発明は、請求項１乃至請求項３を前提として、把持部の両側に引掛壁を形成して、該各引掛壁は挿入部の中心軸線と平行な方向からその全てが臨めることを特徴とする。
【０００８】
請求項５記載の発明は、請求項４を前提として、基部に挿入部の中心軸線と平行な方向から引掛壁の全てが臨める切欠部を形成したことを特徴とする。
【０００９】
請求項６記載の発明は、請求項１乃至請求項５を前提として、基部は、外周縁にその一面方向に延びる姿勢保持壁を備えることを特徴とする。
【発明の効果】
【００１０】
依って、請求項１記載の発明にあっては、保護キャップを管状体の開口端に対して装脱する場合には、その基部の他面から延出する把持部を積極的に利用して、保護キャップ自体を確実に把持することが可能となるので、その装脱作業が頗る容易となる。
【００１１】
請求項２記載の発明にあっては、挿入部の弾性構造により、保護キャップ側の突起部とネジ部材側の雌ネジ部とを弾性的に係合させることが可能となるので、出荷時などに、保護キャップが誤って抜け外れることがない。
【００１２】
請求項３記載の発明にあっては、管状体の開口端に保護クリップ側の環状カバー部が嵌着するので、出荷時などに、管状体に支持されたネジ部材が不用意にガタツク心配がなくなると共に、これにより、作業の終了が確認でき、且つ、管状体の内部に異物が付着することを完全に防止できる。
【００１３】
請求項４記載の発明にあっては、引掛壁の存在により、特に、保護キャップ自体を管状体の開口端から取り外す場合には、例え、作業者が軍手をはめていても、容易に引き抜くことが可能となると共に、引掛壁は挿入部の中心軸線と平行な方向からその全てが臨めるので、スライド金型構造を用いずとも、二つ割りの金型構造を用いて射出成形することが可能となって、金型構造がシンプル化して製品コストも安価となる。
【００１４】
請求項５記載の発明にあっても、基部に挿入部の中心軸線と平行な方向から引掛壁の全てが臨める切欠部を形成しているので、やはり、スライド金型構造を用いずとも、二つ割りの金型構造を用いて射出成形することが可能となって、金型構造がシンプル化して製品コストも安価となる。
【００１５】
請求項６記載の発明にあっては、姿勢保持壁の存在により、保護キャップ自体が不用意に転がる心配がないので、その取り扱いが至便となる。
【発明を実施するための最良の形態】
【００１６】
本発明は、基部の他面側に把持部を延出することにより、保護キャップを管状体の開口端に対して装脱する場合には、当該把持部を積極的に利用して、その装脱作業を頗る容易となしたものである。
【実施例】
【００１７】
以下、本発明を図示する好適な実施例に基づいて詳述すれば、該実施例に係る保護キャップも、合成樹脂の一体成形品で、従来と同様に、図１に示す如く、雌ネジ部１０ａを有するネジ部材たるユニオンナット１０を回転可能に支持した流体移送管等の管状体９の開口端９ａに取り付けられるものとして開発されたもので、特徴とするところは、以下の構成を採用した点にある。
【００１８】
即ち、本実施例に係る保護キャップは、図１・図２から明らかな如く、上記ユニオンナット１０の端部に接触する円盤状の基部１と、該基部１の一面から一体に延出してユニオンナット１０の雌ネジ部１０ａ内に挿入される筒状の挿入部２と、該挿入部２の外周面に形成されて上記雌ネジ部１０ａと係合する一対の突起部３と、挿入部２の端面に連設されて管状体９の開口端９ａに弾性的に嵌着する環状のカバー部４と、基部１の他面から一体に延出して管状体９の開口端９ａに対する装脱時に把持する平板状の把持部５とを備える構成となっている。
【００１９】
そして、本実施例にあっては、上記筒状の挿入部２に関しては、図示する如く、把持部５の付け根で仕切られる内側に、挿入部２の底壁２ａと周壁２ｂで画成される一対の弾性空間６を設けて、該各弾性空間６を利用して周壁２ｂを内側に撓める弾性構造を積極的に付与することにより、保護キャップ側の突起部３とユニオンナット１０側の雌ネジ部１０ａとを弾性的に係合させて、出荷時などに、保護キャップが誤って抜け外れることを防止する構成を採用している。この為、挿入部２の外周面に形成される一対の突起部３は、必然的に、上記各弾性空間６と対応する位置に形成されることとなる。
【００２０】
又、平板状の把持部５に関しては、その両側に基部１の外周方向に伸びる一対の引掛壁７を形成して、特に、保護キャップ自体を管状体９の開口端９ａから取り外す場合には、例え、作業者が軍手をはめていても、この引掛壁７に指を引っ掛けることにより、容易に引き抜くことができる構成となす一方、この引掛壁７の存在と相俟って、円盤状の基部１に対しては、挿入部２の中心軸線と平行な方向から当該引掛壁７が臨める一対の切欠部８を形成する構成を併せて採用している。尚、この切欠部８の深さは、引掛壁７が形成されていない把持部５の巾と一致させるものとする。
【００２１】
従って、本実施例の下では、例え、把持部５に引掛壁７を形成したとしても、基部１側に挿入部２の中心軸線と平行な方向から引掛壁７の全てが臨める切欠部８を形成しているので、この切欠部８を利用することにより、スライド金型構造を用いずとも、二つ割りの金型構造を用いて、保護キャップを射出成形することが可能となるので、金型構造がシンプル化すると共に、これに伴い、製品コストも安価となる。
【００２２】
依って、斯かる保護キャップを用いて、管状体９の出荷時などに、管状体９の開口端９ａを保護したり、該開口端９ａの流路内面に塵などの異物が付着することを防止する場合には、図３に示す如く、ユニオンナット１０で管状体９の開口端９ａを覆う状態を得て、保護キャップの把持部５を十分に把持しながら、基部１がユニオンナット１０の端部に接触するまで、ユニオンナット１０の雌ネジ部１０ａ内にカバー部４側から差し込んでいくと、まず、管状体９の円錐面を呈する開口端９ａに環状のカバー部４が弾性的に嵌着すると同時に、挿入部２が内側の弾性空間６を利用して撓みながら雌ネジ部１０ａ内に挿入されるので、これにより、図４に示す如く、保護キャップが管状体９の開口端９ａにワンタッチで取り付けられることとなる。
【００２３】
この取付状態にあっては、図示する如く、基部１でユニオンナット１０の端部が閉塞され且つ挿入部２の外周面に形成された突起部３が雌ネジ部１０ａに弾性的に係合することとなるので、これによっても、管状体９の開口端９ａに対する塵などの異物の侵入が防止できると共に、保護キャップがユニオンナット１０に確実に係合することとなるので、保護キャップが誤って抜け外れる心配もなくなる。
【００２４】
又、管状体９の開口端９ａには環状のカバー部４が緊密に嵌着するので、これにより、塵などの異物が侵入して流路内面に付着することを完全に防止できると共に、管状体９に支持されたユニオンナット１０がガタツク心配がなくなるので、これにより、作業が終了したことが明確に確認できることとなる。従って、カバー部４の内径を管状体９の開口端９ａの径よりも若干小径となせば、ユニオンナット１０のガタツキをより確実に防止することが可能となる。
【００２５】
次に、現場サイドで、この管状体９を相手方の管状体等（図示せず）に接続する場合には、今度は、保護キャップを取り外すこととなるが、この時には、やはり、把持部５を十分に把持して保護キャップを回転させれば、保護キャップを容易に取り外せることは勿論であるが、特に、把持部５には一対の引掛壁７が形成されているので、この引掛壁７を積極的に利用すれば、例え、作業者が軍手をはめていても、こじりながら、保護キャップを容易に引き抜くことが可能となり、いずれにしても、保護キャップの再使用が可能となる。
【００２６】
尚、上記した実施例に係る保護キャップは、円盤状の基部１の一面側に挿入部２とカバー部４とを続けて延出させ、同他面側に把持部５を延出させた関係で、転び易い形態となっているが、例えば、図５に示す如く、基部１の外周縁に一面方向、即ち、カバー部４方向に延びる環状の姿勢保持壁１１を形成して、該姿勢保持壁１１をカバー部４の先端縁と面一となせば、保護キャップ自体が不用意に転がる心配がなくなるので、その取り扱いが至便となる。尚、この姿勢保持壁１１と挿入部２の間隔は、ユニオンナット１０の肉厚に設定することが好ましい。
【産業上の利用可能性】
【００２７】
本発明に係る保護キャップは、内部に流路が形成された流体移送管や管継手等の開口端を保護したり、該開口端の流路内面に塵などの異物が付着することを防止する上では、頗る好都合のものとなる。
【図面の簡単な説明】
【００２８】
【図１】本発明の実施例に係る保護キャップと管状体との関係を示す斜視図である。
【図２】（Ａ）は図１のＡ−Ａ線断面図、（Ｂ）は図１のＢ−Ｂ線断面図である。
【図３】保護キャップと管状体とユニオンナットの関係を示す要部斜視図である。
【図４】保護キャップをユニオンナットを介して管状体の開口端に取り付けた状態を示す要部断面図である。
【図５】（Ａ）は保護キャップの他例を示す斜視図、（Ｂ）は図５ＡのＣ−Ｃ線断面図である。
【符号の説明】
【００２９】
１      基部
２      挿入部
２ａ    底壁
２ｂ    周壁
３      突起部
４      カバー部
５      把持部
６      弾性空間
７      引掛壁
８      切欠部
９      管状体
９ａ    開口端
１０    ユニオンナット（ネジ部材）
１０ａ  雌ネジ部
１１    姿勢保持壁
【図１】
2004270930.tif 000003
【図２】
2004270930.tif 000004
【図３】
2004270930.tif 000005
【図４】
2004270930.tif 000006
【図５】
2004270930.tif 000007